(57)【要約】【課題】簡易に正確なパネル支持柱の位置出しができ、柱受け部材を設置した状態で、柱の固定位置の微調整を行うことができるパネル保持装置を提供する。【解決手段】壁１０の表面に水平方向に延出する柱受け部材２を上下方向に並設し、この柱受け部材に上下方向に延出するパネル支持柱３を水平方向に並設して、前記壁にパネル４を保持させるパネル保持装置１であって、前記柱受け部材は、前記パネル支持柱の両側面に沿うように前方に突出して形成された一対の位置決め突片２２を複数備え、各一対の位置決め突片の間に前記パネル支持柱を保持させることを特徴とする。【選択図】図１
2013002225.tif 000002
【特許請求の範囲】
【請求項１】
壁の表面に水平方向に延出する柱受け部材を上下方向に並設し、この柱受け部材に上下方向に延出するパネル支持柱を水平方向に並設して、前記壁にパネルを保持させるパネル保持装置であって、
前記柱受け部材は、前記パネル支持柱の両側面に沿うように前方に突出して形成された一対の位置決め突片を複数備え、各一対の位置決め突片の間に前記パネル支持柱を保持させることを特徴とするパネル保持装置。
【請求項２】
請求項１に記載のパネル保持装置において、
前記位置決め突片は、柱受け部材の一部を切り起こして形成されていることを特徴とするパネル保持装置。
【請求項３】
請求項１または請求項２に記載のパネル保持装置において、
隣接する前記パネル支持柱間に１枚のパネルが支持されることを特徴とするパネル保持装置。
【請求項４】
請求項１乃至請求項３のいずれか１項に記載のパネル保持装置において、
前記壁の下方に下レールを配設し、該下レールは、前記パネル支持柱の下端部の両側面に沿うように上方に突出して形成された一対の位置決め突片を複数備え、各一対の位置決め突片の間に前記パネル支持柱を保持させることを特徴とするパネル保持装置。
【発明の詳細な説明】
【技術分野】
【０００１】
本発明は、壁にパネルを保持させるパネル保持装置に関する。
【背景技術】
【０００２】
従来より、既存壁の表面にパネルを配設する方法としては、既存壁の下地材の表面に柱受け部材を水平に取り付け、この柱受け部材に上下方向に延出するパネル支持柱を所定の位置で固定し、このパネル支持柱にパネルを配設するタイプが知られている。
例えば、下記特許文献１がある。ここには、既存壁の下地材に固定された横胴縁の凹み部に、この横胴縁に直行するように縦胴縁が固定され、この縦胴縁の係合孔に、内装パネルが裏面の係合突起を係合させて配設される内装改修構造が開示されている。
【先行技術文献】
【特許文献】
【０００３】
【特許文献１】特開２００１−１５２６７７号公報
【発明の概要】
【発明が解決しようとする課題】
【０００４】
ところで、このような柱受け部材に配設されたパネル支持柱に対してパネルを配設するタイプのものでは、パネルを正規の位置に配設するために、パネル支持柱の位置決めが正確に行われる必要がある。この位置決めが正確に行われないと、パネル支持柱がずれたりするため、パネルを正規の位置に固定することができない。
【０００５】
しかしながら、パネル支持柱を等間隔に位置出しするのは手間であり、ずれることもある。また、例えば、複数のパネル支持柱を設け、隣り合うパネル支持柱間にパネルを設置する場合には、複数のパネルが並んで保持されるため、パネル支持柱が床から略鉛直に正確に位置出しされていないと、隣り合うパネル間の寸法がまちまちになってしまう。
【０００６】
上記特許文献１に記載のものは、横胴縁に凹み部を切り取って形成しており、縦胴縁の幅よりわずかに大きく設定されているため（特許文献１、段落番号（００１８）参照）、正確な位置出しが期待できない。また、ここに記載のものは、縦胴縁間にパネルを保持するものではなく、パネル支持柱を等間隔に位置出ししてパネルを設置するものではない。
【０００７】
本発明は、上記の点を鑑みてなされたものであり、簡易に正確なパネル支持柱の位置出しができるパネル保持装置を提供する。
【課題を解決するための手段】
【０００８】
上記目的を達成するために、本発明に係るパネル保持装置は、壁の表面に水平方向に延出する柱受け部材を上下方向に並設し、この柱受け部材に上下方向に延出するパネル支持柱を水平方向に並設して、前記壁にパネルを保持させるパネル保持装置であって、前記柱受け部材は、前記パネル支持柱の両側面に沿うように前方に突出して形成された一対の位置決め突片を複数備え、各一対の位置決め突片の間に前記パネル支持柱を保持させることを特徴とする。
本発明において、前記位置決め突片は、柱受け部材の一部を切り起こして形成されていてもよい。
また本発明において、前記隣接するパネル支持柱間に１枚のパネルが支持される構成としてもよい。
さらに本発明において、前記壁の下方に下レールを配設し、該下レールは、前記パネル支持柱の下端部の両側面に沿うように上方に突出して形成された一対の位置決め突片を複数備え、各一対の位置決め突片の間に前記パネル支持柱を保持させる構成としてもよい。
【発明の効果】
【０００９】
本発明に係るパネル保持装置によれば、簡易に正確なパネル支持柱の位置出しができる。
【図面の簡単な説明】
【００１０】
【図１】本発明の一実施形態に係るパネル保持装置を示す模式的斜視図である。
【図２】（ａ）は同パネル保持装置の柱受け部材にパネル支持柱が配設された状態を示す模式的斜視図であり、図１のＡ部の拡大図である。（ｂ）は同柱受け部材を示す模式的斜視図である。
【図３】（ａ）は同パネル保持装置の下レールにパネル支持柱が配設された状態を示す模式的斜視図であり、図１のＢ部の拡大図である。（ｂ）は同下レールを示す模式的斜視図である。
【図４】（ａ）は同パネル支持柱に設けられた係止部を示す模式的斜視図であり、図１のＣ部の拡大図である。（ｂ）は同パネルの背面に設けられた被係止部を示す模式的斜視図であり、図１のＤ部を背面側から見た拡大図である。
【図５】同被係止部が、同係止部に係止された状態を示す模式的斜視図である。
【図６】パネルがパネル保持装置に取り付けられた状態を示す模式的断面図である。
【発明を実施するための形態】
【００１１】
以下に本発明の実施の形態について、図面に基づいて説明する。
図１〜図６は、本実施形態に係るパネル保持装置１を説明するための概念図である。尚、図５は説明の都合上パネル４の図示を省略している。
パネル保持装置１は、壁１０の表面に、水平方向に延出する柱受け部材２を上下方向に並設し、その前面に、上下方向に延出するパネル支持柱３を水平方向に並設させて構成される。そして、このパネル保持装置１にパネル４が保持される。柱受け部材２は、パネル支持柱３の両側面に沿うように前方に突出して形成された一対の位置決め突片２２、２２を複数備え、各一対の位置決め突片２２、２２の間にパネル支持柱３が保持される。
【００１２】
以下、詳しく説明する。  
図１に示すように、複数の柱受け部材２は、所定の間隔で壁１０の表面に上下方向に並設された後、それらの前面に所定の間隔で複数のパネル支持柱３が水平方向に取り付けられる。パネル４は縦長の略矩形の形状を有しており、その背面４２の二つの長辺の近傍には、パネル支持柱３に設けられた係止部６に係止される被係止部５が備えられている。
パネル４の構成は特に限定されるものではないが、たとえば調湿機能、脱臭機能等を有した機能パネルを用いてもよい。また、図では２本の柱受け部材２と８本のパネル支持柱３が配設されている例を示しているが、配設される本数は限定されることはなく、壁１０の大きさなどに合わせて調節すればよい。さらに壁１０の構成は特に限定されず、既存の壁でもよく、例えば、前面開口の凹所が形成された壁１０であってもよい。
【００１３】
柱受け部材２は、断面略Ｃ字形状の長尺部材からなり、図２（ｂ）に示すように、横長の略矩形の平面部２１と、その長手方向の両側面から略垂直に延出した折曲部２３、２３と、その端から略垂直に延出した裏面部２４，２４とで構成される。また、平面部２１上の長手方向に、前方に突出するように平面部２１の一部を切り起こしてして形成された一対の突片（以下では、第一位置決め突片と言う）２２、２２を複数対備える。この第一位置決め突片２２は、舌片状に形成されており、後記するパネル支持柱３の両方の側面部３２、３２に沿うように前方に突出している。
その第一位置決め突片２２の平面部２１からの高さ（突出幅）は、パネル支持柱３を保持することができる程度の高さであればよい。また、第一位置決め突片２２の切り起こし基部の幅は、大きすぎると柱受け部材２の強度を弱め、また、短すぎるとパネル支持柱３の保持力を弱めるため、その点を考慮して幅を決める必要がある。尚、突片は切り起こして形成されるのが望ましいが、これに限定されることはなく、例えば、新規に突片に相当する部材を平面部２１に取り付けるなどの方法により形成してもよい。
柱受け部材２の材質としては、特に限定されるものではないが、例えば、アルミニウムあるいは比較的肉薄の鋼板などを用いるのが望ましい。
【００１４】
パネル支持柱３は、図６に示すように、中空の縦長の直方体の形状をしており、前面部３０、開口部３０ａ、側面部３２、背面部３１からなり、前面部３０には上下方向に開口した開口部３０ａが形成されている。また、図２などに示すように、両方の側面部３２には幅方向の中央部付近にスライド溝３２ａが設けられている。また、図５に示すように、背面部３１の幅方向の中央部分には、上下方向に細長い長孔状の操作孔３１ａが設けられている。
パネル支持柱３の材質としては、特に限定されるものではないが、例えば、樹脂材、ステンレス、アルミニウムなどを用いるのが望ましい。
【００１５】
一対の第一位置決め突片２２、２２における、二つの突片の間隔は、パネル支持柱３の幅とほぼ同程度に設定されているため、一本のパネル支持柱３がこの一対の第一位置決め突片２２、２２の間にしっかりと保持されて位置決めされる。位置決めされた状態で、ネジなどの固定具（不図示）でパネルに保持される。
また、一対の第一位置決め突片２２、２２と、その隣の一対の第一位置決め突片２２、２２との間隔は、パネル４の幅とほぼ同程度に設定されている。同じ幅のパネル４のみを用いる際には、すべての間隔をその幅に合わせればよいし、一部異なる幅のパネル４を用いる場合は、そのパネルが取り付けられる場所のみ、対応する間隔に設定すればよい。
【００１６】
次に、パネル支持柱３の下端部を支持する下レール７について説明する。
下レール７は壁１０の下方に配設され、この下レール７は、パネル支持柱３の下端部の両側面に沿うように上方に突出して形成された一対の位置決め突片（以下では、第二位置決め突片と言う）７２、７２を複数備え、各一対の第二位置決め突片７２、７２の間にパネル支持柱３が保持される。
下レール７は、図３（ｂ）に示すように、細長帯状の底面部７１と、その長辺の一辺から略垂直に延出する縦板部７３と、その端から底面部７１の幅方向に出っ張った出っ張り部７４からなる。出っ張り部７４は、断面視において略コの字型の形状を有する。
下レール７は、縦板部７３を壁１０に接するようにして、ネジなどの固定具（不図示）により壁１０に取り付けられる。出っ張り部７４の幅方向の出っ張り幅は、柱受け部材２の折曲部２３の厚みとほぼ同じ程度に設定されている。パネル支持柱３は、その背面部３１が柱受け部材２の平面部２１および下レール７の出っ張り部７４に面した状態で、柱受け部材２および下レール７に配設されるため、壁１０から等間隔の距離を保った状態となる。
【００１７】
底面部７１は、上方に突出するように、底面部７１の一部が切り起こし形成された第二位置決め突片７２、７２を有しており、これを複数対、その長手方向に備える。この第二位置決め突片７２は、第一位置決め突片２２と同様に舌片状に形成されており、パネル支持柱３が下レール７に配設された際に、パネル支持柱３の下端部の両方の側面部３２，３２に沿うように、上方に突出して形成される。尚、突片の形成方法は切り起こしに限定されることはなく、例えば、新規に突片に相当する部材を底面部７１に取り付けるなどの方法であってもよい。
下レール７の材質としては、特に限定されるものではないが、例えば、アルミニウムあるいは比較的肉薄の鋼板などを用いるのが望ましい。
【００１８】
一対の第二位置決め突片７２、７２における、二つの突片の間隔は、パネル支持柱３の幅とほぼ同程度に設定されているため、一本のパネル支持柱３がこの一対の第二位置決め突片７２，７２の間にしっかりと保持されて位置決めされる。位置決めされた状態で、ネジなどの固定具（不図示）でパネルに保持される。
また、一対の第二位置決め突片７２、７２と、その隣の一対の第二位置決め突片７２、７２との間隔は、パネル４の幅とほぼ同程度に設定されている。同じ幅のパネル４のみを用いる際には、すべての間隔をその幅に合わせればよいし、一部異なる幅のパネル４を用いる場合は、そのパネルが取り付けられる場所のみ、対応する間隔に設置すればよい。
【００１９】
次に、パネル保持装置１の組み立て手順、及びパネル４のパネル保持装置１への取り付け手順について説明する。
図１に示すように、まず床１１の面に幅木ベース８が設置され、その上面に下レール７の底面部７１が配設される一方、壁１０の上方に上レール９が配設される。そして、壁１０の表面に、水平方向に延出する柱受け部材２が、複数個所定の間隔を置いて上下方向に並設される。柱受け部材２は、この裏面部２４，２４を壁１０に押し当てて、ネジなどの固定具（不図示）により壁１０に取り付けられる。
【００２０】
このとき、下レール７及び各柱受け部材２間で、対応する第二位置決め突片７２及び第一位置決め突片２２の位置が正確に上下方向に揃うようにして、下レール７及び各柱受け部材２を壁１０に並設させる。その後、パネル支持柱３を、この一列の状態に上下方向に整列した一対の第二位置決め突片７２、７２及び第一位置決め突片２２、２２の間に保持させるようにする。パネル支持柱３の設置手順は特に限定されないが、具体的には、まず下レール７の一対の第二位置決め突片７２、７２の間にパネル支持柱３の下端部を配置して位置決めする。その後、パネル支持柱３の全体を壁１０の方向に倒すようにして、各柱受け部材２の各一対の第一位置決め突片２２、２２の間にパネル支持柱３を配置させる。パネル支持柱３は、下レール７及び柱受け部材２に対してネジなどの固定具（不図示）により固定される。
パネル支持柱３の前面には、配設された各パネル４間の間隙を埋めるための、ゴム材や樹脂材などで形成された目地カバー３３が設置される。図６に示すように、本体部３３ａと、本体部３３ａの端に設けられた係止片部３３ｂとからなり、パネル支持柱３の開口部３０ａに係止片部３０ｂが嵌って固定され、各パネル４の間隙から目地カバー３３の本体部３３ａの表面が露出する。
【００２１】
その後、１枚の略矩形状のパネル４が、隣接するパネル支持柱３間に配設される。
具体的には、まず、パネル４の下端部４０を幅木ベース８の溝の部分に沿わせ、その状態を保ったままでパネル４全体を壁１０の方向に倒すようにする。パネル４の背面部４２の被係止部５が、パネル支持柱３に取り付けられた係止部６に係止することで、パネル４がパネル保持装置１に保持される。尚、図では、パネル４の下端部４０を幅木ベース８に沿わせた後、その状態のままでパネル４全体を壁１０の方向に倒してパネル４を配設する様式を示しているが、パネル４の配設要領はこれに限定されない。
【００２２】
以上の構成によれば、下レール７及び柱受け部材２の各一対の第二位置決め突片７２、７２及び第一位置決め突片２２、２２の位置が、パネル支持柱３の位置決めを行う上での目印となる。そのため、パネル支持柱３ごとにピッチを測定して位置出しを行う必要がなく、簡易にパネル支持柱３の位置出しができ、施工時間を短縮できる。
また、一対の第二位置決め突片７２、７２及び第一位置決め突片２２、２２における、二つの突片の間隔は、パネル支持柱３の幅とほぼ同程度に設定されている。そのため、一対の第二位置決め突片７２、７２及び第一位置決め突片２２、２２の間にパネル支持柱３がしっかりと保持され、パネル支持柱３の取り付け作業がしやすい。さらに、下レール７及び各柱受け部材２間で、対応する第二位置決め突片７２及び第一位置決め突片２２の位置が正確に上下方向に揃うように配置することにより、正確な位置出しを行うことができる。
さらに、第二位置決め突片７２及び第一位置決め突片２２は、下レール７及び柱受け部材２の一部が切り起こされて形成されている。そのため、新規に突片に相当する部材を底面部７１及び平面部２１に取り付ける場合などと比較して、より簡易に、かつ、効率的にこれを形成することができる。また、新規に部材を取り付けるなどの方法とは異なり、自身の柱受け部材２の一部で構成されているため、経済的といえる。
【００２３】
尚、下レール７及び柱受け部材２は、例えば、アルミニウムや比較的肉薄の鋼板などの比較的柔らかい材質のもので構成した場合は、第二位置決め突片７２及び第一位置決め突片２２の切り起こしの傾斜角度を若干修正したりすることが可能となる。つまり、下レール７あるいは各柱受け部材２間で、第二位置決め突片７２あるいは第一位置決め突片２２のずれが生じた時に、そのずれを微調整することができる。これは、ずれを調整するために、ずれの生じている下レール７あるいは柱受け部材２を取り外して正しい位置に設置し直す作業を行う必要がないことを意味する。すなわち、当該ずれの生じている柱受け部材２等を設置したままの状態で、パネル支持柱３が正規の位置に配設されるように、何らかの治具により第二位置決め突片７２あるいは第一位置決め突片２２を若干外側へ倒すことにより突出位置の微調整ができる。
さらに、隣接するパネル支持柱３の間隔はパネル４の幅とほぼ等しく設定されているため、隣接するパネル支持柱３間に１枚のパネル４が支持される構成である。このため、各パネル４を整然と配設することができ、意匠性を向上させることができる。さらに、各パネル４間に意匠性の高い目地カバー３３を配置することにより、美観をより高めることができる。
【００２４】
次に、パネル４のパネル支持柱３の係止部６への取り付け要領について説明する。
係止部６は、図６に示されているように、平板状の本体部６０と、その両端から略垂直に延出する二つの側部６１と、一方の側部６１の端に略Ｖ字状に付加される折曲した折曲部６２とからなる。本体部６０と二つの側部６１で構成された部分は断面図において略コの字の形状を有する。一つのパネル支持柱３の背面部３１及び両側部３２，３２を抱持するように、二つの係止部６の当該略コの字の形状部分が嵌合されている。二つの係止部６は、互いの折曲部６２が互い違いの位置に付加された状態で取り付けられる。
係止部６の材質としては、特に限定されないが、例えば金属材や樹脂材などの、被係止部５を係止する際に受ける押圧によって折曲部６２が弾性変形するようなばね性を備えたものが望ましい。尚、折曲部６２は、図に示す形状に限定されることはなく、後述する被係止部５の引掛部５２と係止できる程度に、係止部６がパネル支持柱３に嵌合した際に、パネル支持柱３の外側に出っ張っている部分を有していればよい。
【００２５】
被係止部５は、図１のＤ部を背面側から見た拡大図である図４（ｂ）に示すように、プレート状の固定部５０を備え、その端から略垂直に立設部５１が延出し、その端から鍵状の引掛部５２が略垂直に延出している。パネル４が壁１０の方向に押圧されると、この引掛部５２が対応する係止部６の折曲部６２に係止し、パネル４を強固に取付状態とすることができる。固定部５０は固定具５ａによってパネル４の背面４２に取り付けられるが、取り付け方式はこれに限定されない。
被係止部５の材質としては、特に限定されないが、例えば金属材や樹脂材などの、係止部６に係止される際に受ける押圧によって弾性変形するようなばね性を備えたものが望ましい。また、引掛部５２は、係止部６の折曲部６２に係止することができる程度に、パネル４の外側に向かって、出っ張っている部分を有していればよく、図の形状に限定されることはない。また、被係止部５の設置個数も図例に限定されず、パネル４の大きさ等に応じて複数設けるようにしてもよい。
【００２６】
図５、図６には、被係止部５が係止部６に係止した状態が示されているが、わかりやすく説明するために、隣り合うパネル４にそれぞれ４Ａ、４Ｂと符合を付している。またこれに伴いパネル４Ａを係止する係止部６を６Ａ、これに係止される被係止部５を５Ａとし、同様にパネル４Ｂを係止する係止部６を６Ｂ、これに係止される被係止部５を５Ｂとしている。二つの係止部６のうちの一方の係止部６Ａには、パネル支持柱３を挟んで一方の側のパネル４の被係止部５Ａが係止され、他方の係止部６Ｂには、パネル支持柱３を挟んで別の側のパネル４の被係止部５Ｂが係止される。
係止部６の二つの側部６１は、内側に出っ張るように形成されたスライド突条部６１ａを備えている。パネル支持柱３の両方の側面部３２のスライド溝３２ａにスライド突条部６１ａが沿う状態で、係止部６がパネル支持柱３に嵌合する。スライド溝３２ａに対するスライド突条部６１ａの嵌まり込みによって、係止部６のパネル支持柱３からの外れが防止される。この嵌合の強さは、スライド突条部６１ａをスライド溝３２ａに沿ってスライドさせることができる程度の強さであるため、嵌合した二つの係止部６を上下方向に自在に動かすことができる。
【００２７】
次に、パネル４のパネル支持柱３からの取りはずし要領について説明する。
係止部６の本体部６０は、図６に示すように、係止部６の内側に突出する円筒状の突起部６３を有しており、その内部には、ドライバーのような棒状体が通る程度の径の略円形状の押通孔６４が形成されている。図６に示すように、係止部６がパネル支持柱３に取り付けられた際には、突起部６３が前記操作孔３１ａを通ってパネル支持柱３の内部に出た状態となる。この操作孔３１ａの長手方向の両端付近に、二つの係止部６の各々の突起部６３が位置するように各係止部６が所定位置に取り付けられる。
【００２８】
パネル４を取り外す際には、まずは、開口部３０ａに取り付けた目地カバー３３を取り外す。そして、ドライバーのような棒状体を、壁１０とは反対側から係止部６の押通孔６４に差し入れ、それを上あるいは下の方向に動かす。それにより、係止部６のみが、棒状体と同じ方向に動いて、パネル４の引掛部５２と係合していた折曲部６２がその引掛部５２からはずれ、パネル４を取り外すことができる。尚、係止部６の本体部６０の厚さは、壁１０とパネル支持柱３との間の距離よりも小さく設定されているため、係止部６は外部の力を加えることにより可動となっている。
具体的な取り外し方法は、図５の例でいうと、ドライバーのような棒状体を下の係止部６Ｂの押通孔６４に差し入れて上方に動かすことで、それに係合していたパネル４の被係止部５Ｂがはずれる。また、上の係止部６Ａの押通孔６４に差し入れて下方に動かすことで、それに係合していたパネル４の被係止部５Ａがはずれる。
【００２９】
スライド溝３２ａ、スライド突条部６１ａの形状や配置は図例に限定されることはなく、係止部６をパネル支持柱３に対してスライドさせて、各パネル４を一枚ずつ簡易に取り外すことのできる構成であればよい。また、二つの係止部６の間隔は、両係止部６Ａ、６Ｂが、被係止部５Ａ、５Ｂから外れ得る程度の間隔が確保されていればよい
【００３０】
以上の構成によれば、係止部６と被係止部５とが係止する構成を用いたものであるため、パネル４０を押圧するだけでパネル支持柱３へ簡単に取り付けることができる。また、係止部６の押通孔６４にドライバーのような棒状体を差し入れて上下に動かすことによりパネル４の被係止部５がはずれる構成であるため、簡単にパネル４を一枚ずつはずすことができる。
さらに、図６に示すように、被係止部５がパネル４の裏面に設置されており、外部から見えない位置にあるため、例えば、パネル４を木ネジなどで固定しカバーで覆う方式と比較して、意匠性が高い。
【００３１】
尚、実施形態で説明したパネル４の形状や構成などは上述の図例に限定されず、柱受け部材２、パネル支持柱３、下レール７、目地カバー３３の形状、構成、設置箇所なども図例に限定されるものではない。また、各第一位置決め突片２２、第二位置決め突片７２の形状、設置間隔、設置数量なども図例に限定されるものではない。
【符号の説明】
【００３２】
１        パネル保持装置
２        柱受け部材
３        パネル支持柱
４        パネル
１０      壁
２２      第一位置決め突片
７２      第二位置決め突片
７        下レール
【図１】
2013002225.tif 000003
【図２】
2013002225.tif 000004
【図３】
2013002225.tif 000005
【図４】
2013002225.tif 000006
【図５】
2013002225.tif 000007
【図６】
2013002225.tif 000008